(57)【要約】【課題】レンズキャップの開閉を検出するための特別なスイッチを付加することなく電子式にレンズキャップの開閉を判定し、レンズキャップの漏れ光も考慮し精度よくレンズキャップの開閉を判定することにより電源断の誤操作を利用者に通知するレンズキャップ取り忘れ検出方法および映像記録装置を提供する。【解決手段】レンズキャップの開閉を、ＡＧＣ信号の検出結果と輝度平均の検出結果を考慮することにより精度の高い検出が出来、利用者に警告表示を行うと同時にそれでも気づかない利用者に対しては電源を自動的に切ることにより無駄なバッテリーの消費を抑える。【選択図】図１
2009027310.tif 000002
【特許請求の範囲】
【請求項１】
レンズにより結像された光を電気信号に変換する撮像部と、
前記撮像部から出力された映像信号を常に一定に保つ自動ゲイン制御部と、
前記自動ゲイン制御部から出力されたゲイン値とあらかじめ保持しているゲイン閾値を比較するゲイン比較部と、
前記撮像部から出力された映像信号から所定の領域を抽出する輝度平均領域選択部と、
前記輝度平均領域選択部から出力される信号の平均値を算出する輝度平均値算出部と
周囲の明るさを測定する光量測定部と、
前記輝度平均値算出部で算出された平均輝度と、前記光量測定部の出力を基にあらかじめ保持していた少なくとも１つ以上の平均輝度閾値から選択し、比較する輝度比較部を有し、
前記ゲイン比較部と前記輝度信号比較部の出力結果を用いてレンズキャップが装着されているか否かを判断する警告表示判断部と、その判断結果に応じて表示装置に警告を促す警告部を有することを特徴とした映像記録装置。
【請求項２】
前記輝度平均領域選択部は、前記撮像部から入力された１画面分の画像信号を、少なくとも２つ以上の領域に分割し、輝度が高い画素を有する領域を検出した場合には、その領域を除外することを特徴とした請求項１記載の映像記録装置。
【請求項３】
前記光量測定部は、IRセンサーであることを特徴とした請求項１記載の映像記録装置。
【請求項４】
前記警告表示判断部は、前記ゲイン比較部の結果、前記ゲイン値が前記ゲイン閾値より大きい且つ、前記輝度信号比較部の結果、前記平均輝度値が前記平均輝度閾値より小さい場合にレンズキャップが装着されていると判断することを特徴とした請求項１記載の映像記録装置。
【請求項５】
映像信号のゲイン値を自動で制御算出するゲイン値算出ステップと、
算出されたゲイン値とあらかじめ保持しているゲイン閾値を比較するゲイン値比較ステップと、
外光の明るさを測定する光量測定ステップと、
前記外光の明るさを基に少なくとも２つ以上の輝度閾値の中から選択する輝度選択ステップと、
輝度平均値を算出するための領域を選択する輝度算出領域選択ステップと、
選択された領域の平均輝度を算出する輝度平均値算出ステップと、
そこで算出された平均輝度値と前記輝度閾値とを比較する輝度比較ステップと、
前記ゲイン値比較ステップと前記輝度比較ステップの出力結果を用いてレンズキャップが装着されているか否かを判断する警告表示判断ステップと、
レンズキャップが装着されている場合に表示装置に警告を表示する警告表示ステップ、
を有することを特徴としたレンズキャップ取り忘れ検出方法。
【請求項６】
前記輝度算出領域選択ステップは、輝度の平均を行う際に画面全体あるいは特定の領域のみの信号値から輝度の平均を算出することを特徴とした請求項５記載のレンズキャップ取り忘れ検出方法。
【請求項７】
警告表示判断ステップは、前記ゲイン比較ステップの結果、前記ゲイン値が前記ゲイン閾値より大きい且つ、前記輝度比較ステップの結果、前記平均輝度値が前記平均輝度閾値より小さい場合にレンズキャップが装着されていると判断することを特徴とした請求項５記載のレンズキャップ取り忘れ検出方法。
【発明の詳細な説明】
【技術分野】
【０００１】
本発明は、レンズキャップを備えたビデオカメラに関し、このレンズキャップが閉じているかあいているかについての判定を特別なスイッチ等をつけることなく判定でき、ビデオカメラの電源が入った状態でレンズキャップが閉められていることを利用者に警告する際に好適に利用できるものである。
【背景技術】
【０００２】
ビデオカメラなどで撮影を行った後で、レンズを傷や埃から保護するためにレンズキャップをすることが一般的であるが、ビデオカメラの電源が入ったままレンズキャップを誤ってしてしまうと、次回録画を行おうとした際にバッテリーがなくなっており、意図した時間の録画が行えないといった利用者に不便な問題がある。この問題に対して、レンズキャップが閉まっているかどうかを判定し、利用者に音や警告表示で伝え、更に利用者が気づかない場合に備えて電源を切りバッテリーの消費を抑えるといった制御を行うことが考えられる。こうした中でレンズキャップが閉まっているかどうかを判定するために特定の検出スイッチを用いることが考えられるが、こういった機械的なスイッチでは材料コストが上がったり、機械式なので故障しやすいといった問題がある。このような問題に対し、レンズキャップが閉まっているかどうかを電子式に判断する方法が考え出されている（例えば、特許文献１参照。）。
【特許文献１】特開平６−２２１９８号公報
【発明の開示】
【発明が解決しようとする課題】
【０００３】
しかしながら、前記従来の構成では、ＡＧＣ(Ａｕｔｏ Ｇａｉｎ Ｃｏｎｔｒｏｌｌｅｒ)回路から出力されるＡＧＣ信号だけでレンズキャップの有無を検知するので、ＡＧＣ信号と比較する閾値の設定が非常に困難である。閾値を低く設定した場合では、多少薄暗い状況のなかで撮影した場合、その時の撮影条件によってはＡＧＣ回路の増幅処理によりレンズキャップを未装着にもかかわらず常に警告表示が表示される。また、閾値を高く設定した場合では、レンズキャップの不備等により隙間から光もれが発生し、レンズキャップを装着したにもかかわらずＡＧＣ回路の増幅が抑えられ警告表示が表示されないという不具合が存在する課題を有していた。
【０００４】
本発明は、前記従来の課題を解決するもので、撮影条件やレンズキャップの光漏れ等があってもレンズキャップが閉まっているかどうかを適切に判断することを目的としたレンズキャップ警告表示を備えた映像記録方法および装置を提供することを目的とする。
【課題を解決するための手段】
【０００５】
前記従来の課題を解決するために、本発明の映像記録装置は、
レンズにより結像された光を電気信号に変換する撮像部と、
前記撮像部から出力された映像信号を常に一定に保つ自動ゲイン制御部と、
前記自動ゲイン制御部から出力されたゲイン値とあらかじめ保持しているゲイン閾値を比較するゲイン比較部と、
前記撮像部から出力された映像信号から所定の領域を抽出する輝度平均領域選択部と、
前記輝度平均領域選択部から出力される信号の平均値を算出する輝度平均値算出部と
周囲の明るさを測定する光量測定部と、
前記輝度平均値算出部で算出された平均輝度と、前記光量測定部の出力を基にあらかじめ保持していた少なくとも１つ以上の平均輝度閾値から選択し、比較する輝度比較部を有し、
前記ゲイン比較部と前記輝度信号比較部の出力結果を用いてレンズキャップが装着されているか否かを判断する警告表示判断部と、その判断結果に応じて表示装置に警告を促す警告部を有することを特徴としたものである。
【０００６】
さらに、本発明の映像記録装置において、
前記輝度平均領域選択部は、前記撮像部から入力された１画面分の画像信号を、少なくとも２つ以上の領域に分割し、輝度が高い画素を有する領域を検出した場合には、その領域を除外することを特徴としたものである。
【０００７】
さらに、本発明の映像記録装置において、
前記光量測定部は、IRセンサーであることを特徴としたものである。
【０００８】
さらに、本発明の映像記録装置において、
前記警告表示判断部は、前記ゲイン比較部の結果、前記ゲイン値が前記ゲイン閾値より大きい且つ、前記輝度信号比較部の結果、前記平均輝度値が前記平均輝度閾値より小さい場合にレンズキャップが装着されていると判断することを特徴としたものである。
【０００９】
また、本発明のレンズキャップ取り忘れ検出方法において、
映像信号のゲイン値を自動で制御算出するゲイン値算出ステップと、
算出されたゲイン値とあらかじめ保持しているゲイン閾値を比較するゲイン値比較ステップと、
外光の明るさを測定する光量測定ステップと、
前記外光の明るさを基に少なくとも２つ以上の輝度閾値の中から選択する輝度選択ステップと、
輝度平均値を算出するための領域を選択する輝度算出領域選択ステップと、
選択された領域の平均輝度を算出する輝度平均値算出ステップと、
そこで算出された平均輝度値と前記輝度閾値とを比較する輝度比較ステップと、
前記ゲイン値比較ステップと前記輝度比較ステップの出力結果を用いてレンズキャップが装着されているか否かを判断する警告表示判断ステップと、
レンズキャップが装着されている場合に表示装置に警告を表示する警告表示ステップ、
を有することを特徴としたものである。
【００１０】
さらに、本発明のレンズキャップ取り忘れ検出方法において、
前記輝度算出領域選択ステップは、輝度の平均を行う際に画面全体あるいは特定の領域のみの信号値から輝度の平均を算出することを特徴としたものである。
【００１１】
また、本発明のレンズキャップ取り忘れ検出方法において、
警告表示判断ステップは、前記ゲイン比較ステップの結果、前記ゲイン値が前記ゲイン閾値より大きい且つ、前記輝度比較ステップの結果、前記平均輝度値が前記平均輝度閾値より小さい場合にレンズキャップが装着されていると判断することを特徴としたものである。
【発明の効果】
【００１２】
本発明のレンズキャップ警告表示を備えた映像記録方法および装置によれば、レンズキャップの開閉を特別なスイッチを追加することなく電子式に判定し、レンズキャップを閉じた際の光の漏れがあっても精度よく検出することができ、意図しないバッテリーの消耗を抑えることができる。
【発明を実施するための最良の形態】
【００１３】
以下に、本発明のレンズキャップ警告表示を備えた映像記録方法および装置の実施の形態を図面とともに詳細に説明する。
【００１４】
（実施の形態１）
図１は、本発明の第１の実施の形態におけるレンズキャップ警告表示を備えた映像記録装置の構成図を示す。
【００１５】
図１において、１０００は本発明の映像記録装置のレンズキャップを検出し、警告を利用者に通知する構成図である。レンズ群１００１から入った光は、撮像部１０９０に結像され、そこから映像信号１００２として出力される。その後入力信号１００２はＡＧＣ回路部１０５０に入力される。ＡＧＣ回路１０５０は入力信号に対してのゲイン値を制御する。つまり映像信号のレベルが小さい場合には暗い映像と判断し映像信号を増幅し、映像信号のレベルが大きい場合には明るい映像と判断し映像信号を減衰させて適切なレベルの画像信号に変換する。その時の増幅値をゲイン値１００４として出力する。
【００１６】
また、レンズキャップの開閉を検出するための判断基準値としてのゲイン閾値を持っており、それがゲイン閾値１００３である。ゲイン比較部１０２０はゲイン値１００４とゲイン閾値１００３の両方からレンズが開閉されているか否かの第一の判断基準であるゲイン状態フラグ１００８を出力する。
【００１７】
一方、レンズキャップが閉じている場合にでも外装の歪などや、中途半端に閉まっている場合には隙間からレンズキャップとレンズ内にわずかな光が漏れ入り、誤検出の原因となる。そこで本発明ではその問題点を克服するために輝度平均を取りその算出結果が低い場合にはレンズキャップが閉じていると判定するが、その平均輝度を算出する際の領域も選択できるように考慮している。例えば、本発明の映像記録装置が暗い場所にあるのか明るい場所にあるのかをＩＲセンサー１０８０が検出し、暗い場所にある場合には輝度閾値Ａ１００５を選択し、明るい場所にある場合には輝度閾値Ｂ１００６を選択し、輝度信号比較部で用いる輝度閾値として決定する。
【００１８】
また、輝度平均領域選択部１０６０によって、どこの領域に対し輝度平均を算出するかを決定する。
【００１９】
この輝度平均領域選択部１０６０によって決定された情報を基に、輝度平均値算出部１０７０は、その領域の輝度の平均値を算出する。
次に、あらかじめＩＲセンサー１０８０で測定した周囲の明るさを基に選択された輝度閾値と輝度平均値算出部１０７０の結果算出された両方を入力とする輝度信号比較部１０１０によってレンズキャップが閉じているかどうかを判定し第二の判断基準である輝度状態フラグ１００９として出力する。
【００２０】
次に、警告表示判断部１０３０は、ゲイン状態フラグ１００８がゲイン閾値１００３よりゲイン値１００４が大きく、輝度状態フラグ１００９が輝度平均値より輝度平均値が小さい場合に、レンズキャップが閉じていると判断し、警告表示有無判断信号１００７として出力する。警告表示判断部１０３０によってレンズキャップが閉じていると判断された場合には、警告表示部１０４０により、電源が入っていることを利用者に警告する。ここでは、警告表示部としているが、音を鳴らすことで注意を促しても良い。また、それでも利用者が気づかない場合には強制的に電源を切りバッテリーの消費を抑えることもできる。
【００２１】
（実施の形態２）
図２は、本発明の第２の実施の形態におけるレンズキャップ取り忘れ検出方法のフローチャートを示す。
【００２２】
まず撮像部から入力した映像信号のゲイン値を算出する（２１０１）。次に映像信号から算出されたゲイン値と予め保持してあるゲイン閾値との比較を行う（２１０２）。ここでレンズキャップが閉まっている場合には、AGC回路がゲインを上げようと信号を増幅させるので、あらかじめ設定したゲイン閾値を超えてしまう。よって、このようにゲイン閾値を超えた場合にＴＲＵＥを保存しておく（２１０４）。そうでなければＦＡＬＳＥを保存しておく（２１０３）。
【００２３】
また、平行してIRセンサーによって外部の明るさを測定する（２１０５）。測定した明るさが所定の輝度判定値以下の時には、室内・夜間など、周りが暗い状況にあるので、輝度閾値Ａを選択する（２１０７）。そうでなければ、屋外・昼間の周囲が明るい状況であるので、輝度閾値Ｂを選択する（２１０７）。
【００２４】
次に、輝度値の平均を算出する際に用いる領域を選択する（２１０９）。この処理の詳細は、図３を用いて説明する。まず、領域は１画面を所定の間隔で分割しており、それぞれの領域に対し、ヒストグラムを作成する（２２０１）。それぞれの領域に対し、暗い画素と明るい画素の差が所定の値より大きい場合は、その領域を除外する（２２０３）。全ての領域に対しての判断が終了すれば（２２０４）、残った領域が、平均輝度を算出するための領域となる。このように算出する領域を選択できるようにすることで漏れ光に対しても精度良く検出できるようになる。
【００２５】
次に、選択された領域内の輝度平均値を算出する（２１１０）。
【００２６】
次に先程選択した輝度閾値と算出した輝度平均値を比較し（２１１１）、輝度平均値の方が輝度閾値よりも低い場合にはレンズキャップが閉じていると判断しＴＲＵＥを保存する（２１１３）。そうでなければ、ＦＡＬＳＥを保存する（２１１２）。
【００２７】
ゲイン状態フラグによる結果と輝度状態フラグによる結果、両方ともＴＲＵＥの場合、（２１１４）、警告表示を行う（２１１５）。
【産業上の利用可能性】
【００２８】
本発明のレンズキャップ取り忘れ検出方法および映像記録装置は、レンズキャップの開閉を特別なスイッチを追加することなく電子式に判定し、レンズキャップを閉じた際の光の漏れがあっても精度よく検出することができ、意図しないバッテリーの消耗を抑えることができる機能を有し、レンズキャップを備えたビデオカメラに関し、このレンズキャップが閉じているか開いているかについての判定を特別なスイッチ等をつけることなく判定でき、ビデオカメラの電源が入った状態でレンズキャップが閉められていることを利用者に警告する際に好適に利用できるものである。
【図面の簡単な説明】
【００２９】
【図１】本発明の実施の形態１における記録装置の構成図
【図２】本発明の実施の形態２におけるフローチャート
【図３】本発明の実施の形態２における領域選択のフローチャート
【符号の説明】
【００３０】
１０００  映像記録装置
１００１  レンズ群
１００２  映像信号
１００３  ゲイン閾値
１００４  ゲイン値
１００５  輝度閾値Ａ
１００６  輝度閾値Ｂ
１００７  警告表示有無判断信号
１００８  ゲイン状態フラグ
１００９  輝度状態フラグ
１０１０  輝度信号比較部
１０２０  ゲイン比較部
１０３０  警告表示判断部
１０４０  警告表示部
１０５０  ＡＧＣ回路
１０６０  輝度平均領域選択部
１０７０  輝度平均値算出部
１０８０  ＩＲセンサー
１０９０  撮像部
【図１】
2009027310.tif 000003
【図２】
2009027310.tif 000004
【図３】
2009027310.tif 000005